【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  安全注射器であって、
円筒形の壁、後端の開口部、前端の開口部、および内部で前記両開口部の間に延びている流体チャンバを有する、流体を入れておくための中空のバレルと、
前記バレルの流体チャンバ内に装着され、前記バレル内を軸方向に前後に移動できる、前記流体チャンバに流体を出入させる中空のプランジャであって、針の引込み中に用いられる軸方向の針収容チャンバを該プランジャの中に含み、前記バレルの前記後端の開口部から延びている後端部分と前記バレルの内部に位置している前端部分とを有する中空のプランジャと、
前記プランジャの周囲に延びており、流体が前記バレルの後端から漏出するのを防止するために前記流体チャンバ内において前記バレルの壁の内面に係合している密封手段と,
流体が前記流体チャンバから前記針収容チャンバに入り込まないように、前記プランジャの前端の近くで前記プランジャの前記針収容チャンバを一時的に密封する第１の破断可能なディスクと、
前端および後端を有し、流体が前記流体チャンバから放出され終わるまで前記バレルにこれを密封して前記後端において取り付けられている第２の破断可能なディスク部材を有する針保持部材と、
前記バレルの前端において前記針保持部材内にこれを密封して装着され、かつ前記前端から突き出している中空の針であって、前記流体チャンバからの流体の流れが前記針を通過できるように該針の後端が前記流体チャンバと連通している中空の針と、
前記プランジャの前端上にあり、前記流体が前記流体チャンバから放出され終わった後に前記針保持部材を前記バレルから解放するために前記針保持部材上の前記第２の破断可能なディスク部材を破断するようになっている第１の環状パンチタイプの解放手段と、
前記針収容チャンバ内に前記針および前記針保持部材が収められるように前記第１の破断可能なディスクを破断し、前記プランジャの前端を開くために前記針保持部材の後端において前記第２の破断可能なディスク部材から後方に向かって延びている第２の環状パンチタイプの解放手段と、
前記バレル内にあって前記針保持部材と組合わされており、前記針および前記針保持部材を前記バレル内においては後方に移動させ、前記針収容チャンバの内部においては引込み位置に移動させるバイアス手段と
を有し、
前記第１および第２の環状パンチタイプの解放手段はともに、前記破断可能な両ディスクに対してそれぞれある角度で傾斜している鋭い前縁を有しており、そのため各前縁はそれぞれのディスクを貫通するとき前記バレルまたは前記プランジャのいずれかから各破断可能なディスクをそれぞれ切り離すために集中された力と剪断作用とを生成する、
を含む安全注射器。
【請求項２】  前記バイアス手段は前記バレル内のその前端にある圧縮ばねである、請求項１に記載の安全注射器。
【請求項３】  前記針保持部材は前記第２の破断可能なディスク部材に固定して取り付けられている細長い管状のステムを有する、請求項２に記載の安全注射器。
【請求項４】  前記圧縮ばねは前記ステムを囲み、かつ前記第２の破断可能なディスクと前記バレルの棚との間で圧縮保持されている、請求項３に記載の安全注射器。
【請求項５】  前記ステムの前端に取り付けられている針受口を含み、該針受口内に軸方向にしっかりと保持されている針を有する、請求項４に記載の安全注射器。
【請求項６】  前記両破断可能なディスクのうちの少なくとも１つは、前記プランジャの小さな圧力でも前記ディスクを破断させることができるように、前記環状パンチタイプの解放手段の１つと軸方向に位置合せされている環状のノッチを有している、請求項１に記載の安全注射器。
【請求項７】  前記破断可能なディスクは共に、該両ディスクの破断を容易にする薄い隔膜およびノッチ作用を生成する環状のノッチを有している、請求項６に記載の安全注射器。
【請求項８】  前記圧縮ばねは、前記針の引込み後に前記針および前記針保持部材を前記プランジャの針収容チャンバ内およびバレル内に保持するようになっている、請求項２に記載の安全注射器。
【請求項９】  前記環状の解放手段の前縁の、各破断可能なディスクに対する傾斜角は少なくとも５°である、請求項１に記載の安全注射器。
【請求項１０】  前記環状パンチタイプの解放手段はともにその前縁が複数の傾斜角を有している、請求項１に記載の安全注射器。
【請求項１１】  前記第１および第２の破断可能なディスクを破断するのに必要な前記プランジャの力を減少させるため、該両ディスク上の破断可能な隔膜部分に、集中される荷重力を逐次的に課すように、前記第１および第２の環状パンチタイプの解放手段はともにある角度で傾斜している鋭い前縁を有している、請求項１に記載の安全注射器。
【請求項１２】  前記パンチタイプの両解放手段の前縁は、前記プランジャの前端での前記解放手段の内径、および前記針保持部材の前記解放手段の外径において、鋭い前縁と最も高い位置とを確保する好ましくは４５°の後退角をその壁部分全体にわたって有しており、前記針の解放時におけるディスクの破断を容易にするために前記ディスクノッチの隔膜の近くに位置している、請求項１に記載の安全注射器。
【請求項１３】  前記第１および第２の破断可能なディスクを逐次破断させるために、一方の解放手段の軸方向の長さは他方の解放手段のそれよりも長くなっている、請求項１に記載の安全注射器。
【請求項１４】  前記第１のディスクの破断の前に前記第２のディスクを破断させるために、前記第１の解放手段は前記第２の解放手段よりも大きい軸方向の長さを有している、請求項１３に記載の安全注射器。
【請求項１５】  前記針保持部材は、前記バレルに一時的に装着される中空のステムと、捩り止め手段によって取り外し可能に前記ステムに取り付けられ、したがって該ステム上で異なる寸法の針の交換を可能にする針受口にしっかり保持された針とを含む、請求項１に記載の安全注射器。
【請求項１６】  前記捩り止め手段は、前記針受口を前記ステムに対して回転させることによって該ステムとの迅速な係合を行うために前記ステムの前端におけるその外径上にあり前記バレルの前端から突き出しているハイピッチ逆「ルーア−ロック」タイプのねじ山と、前記針受口の内径にある整合ハイピッチ逆「ルーア−ロック」タイプのねじ山とを含む、請求項１５に記載の安全注射器。
【請求項１７】  前記針受口および前記針を前記ステムに取り付けたりまたはそれから取り外したりするとき前記針キャップおよび前記針受口の回転を容易にするために、前記針受口上で半径方向外側に延びているフィンとぴったり合う半径方向内側を向いている溝を有し、前記針キャップの外側表面にリブを有している針キャップを含む、請求項１６に記載の安全注射器。
【請求項１８】  安全注射器であって、
円筒形の壁、後端の開口部、前端の開口部、および内部で前記両開口部の間に延びている流体チャンバを有する、流体を入れておくための中空のバレルと、
前記バレル内に装着され、前記バレル内を軸方向に前後に移動できる、前記バレルに流体を出入させる中空のプランジャであって、針引込み中に用いられる、軸方向の針収容チャンバを中に含む中空のプランジャと、
前記プランジャの周囲に延びていて、流体が前記バレルの後端から漏出するのを防止するために前記バレルの壁の内面に滑動するように係合する密封手段と、
流体チャンバからの流体が前記針収容チャンバに入り込まないように、前記プランジャの針収容チャンバを密封するように一時的に閉じる、前記プランジャの前端に近接している切離し可能な前端壁と、
前端と後端とを備えた細長い管状のステムを有し、後端で、前記バレルにこれを密封するように取り付けられている切離し可能なディスク部材を有する針保持組立体と、
前記バレルの前端において前記ステム内にこれを密封するように装着され、流体が前記流体チャンバから放出され終わるまで前端から突き出している中空の針であって、前記プランジャが押し下げられると、前記流体チャンバからの流体が前記針を通過できるように前記針の後端は前記流体チャンバと連通している中空の針と、
前記プランジャの前端上にあり、前記流体が前記流体チャンバから放出され終わった後、前記バレルから前記針保持組立体を解放するために該針保持組立体上のディスク部材を切断するようになっている第１の環状の切刃部材と、
前記針および前記針保持組立体が前記プランジャの針収容チャンバ内に収められるように、前記プランジャの前端壁を切断し、かつプランジャの前端を開くために、前記針保持組立体の後端で前記ディスク部材から後方に向かって延びている第２の環状の切刃部材と、
前記バレル内にあって前記針保持組立体と組合わされ、前記針および前記針保持組立体を前記バレル内では後方に移動させ、前記針収容チャンバの内部では引込み位置に移動させる圧縮ばねと
を有し、
前記第１および第２の切刃部材はともに、前記前端壁および前記切離し可能なディスク部材に対してある角度で傾斜している鋭い前縁を有しており、そのため各前縁はそれぞれの前端壁または前記ディスク部材を切断するとき前端壁を前記プランジャからあるいは前記ディスク部材を前記バレルからそれぞれ分離するために集中された力と剪断動作とを生成する、
安全注射器。
【請求項１９】  前記第１の環状の切刃部材は前記第２の環状の切刃部材の外径の上に嵌め込まれるほどに充分に大きな内径を有し、前記針保持組立体を前記バレルから解放するように前記ディスク部材を切断するために、前記第２の環状の切刃部材に対して前記プランジャとともに軸方向に前進し、それから前記プランジャがさらに前進運動すると前記プランジャの前端壁は前記第２の環状の切刃部材に向かって移動させられ、その結果、前記前端壁を切断して端部に開口部を形成し、これによって前記圧縮ばねによって前記針保持組立体および前記針が後方に移動させられて前記第１の環状の切刃部材を通り、次に前記端部の開口部を通って前記プランジャの前記針収容チャンバに入ることができる、請求項１８に記載の安全注射器。
【請求項２０】  前記圧縮ばねは前記ステムを囲み、前記切離し可能なディスク部材と前記バレルの棚との間で保持圧縮されている、請求項１８に記載の安全注射器。
【請求項２１】  前記ステムの前端に取り付けられている針受口を含み、該針受口内に軸方向にしっかりと保持されている針を有する、請求項１８に記載の安全注射器。
【請求項２２】  前記切離し可能なディスクは、前記プランジャの小さな圧力で前記ディスクを切断できるように、前記第１の環状の切刃部材と軸方向に位置合せされて、薄い隔膜およびノッチ作用を生成する環状のノッチを有している、請求項１８に記載の安全注射器。
【請求項２３】前記切離し可能な前端壁は、前記プランジャの小さな圧力で前記プランジャの前端壁を切断できるように、薄い隔膜およびノッチ作用を生成する環状のノッチを有している、請求項１８に記載の安全注射器。
【請求項２４】  前記圧縮ばねは前記針の引込み後に前記針および前記針保持部材を前記針収容チャンバ内に保持するようになっている、請求項１８に記載の安全注射器。
【請求項２５】  前記前端壁および前記切離し可能なディスクに対する、前記第１および第２の切刃部材の前縁の傾斜角は、少なくとも５°である、請求項１８に記載の安全注射器。
【請求項２６】  前記両切刃部材の前縁は複数の角度で傾斜している、請求項１８に記載の安全注射器。
【請求項２７】  前記第１および第２の破断可能なディスクの逐次破断するために、一方の切刃部材の軸方向の長さは、他方の切刃部材のそれよりも長くなっている、請求項１８に記載の安全注射器。
【請求項２８】  前記第２の切刃部材が前記プランジャの前端壁を切断する前に前記ディスクを切断するために、前記第１の切刃部材は前記第２の切刃部材よりも大きい軸方向の長さを有している、請求項１８に記載の安全注射器。
【請求項２９】  安全注射器であって、
円筒形の壁、後端の開口部、前端の開口部、および内部で前記両開口部の間に延びている流体チャンバを有する中空のバレルと、
前記バレル内に装着され、前記バレル内を軸方向に前後に移動できる、前記バレルに流体を出入させる中空のプランジャであって、中に軸方向の針収容チャンバを含む中空のプランジャと、
前記プランジャの周囲に延びていて、流体が前記バレルの後端から漏出するのを防止するために前記バレルの壁の内面に滑動するように係合している密封手段と、
前記流体チャンバからの流体が前記針収容チャンバに入り込まないように、前記プランジャの針収容チャンバを、これを密封するように閉じる、前記プランジャの前端に近接している切離し可能な前端壁と、
軸方向に延びているステム部材を有し、該ステム部材から半径方向外側に向かって延び、かつ前記バレルにこれを密封するように取り付けられている切離し可能なディスク部材を有する針保持組立体と、
前記ステム部材の前端に取り付けられ、前記バレルの前端に位置している針受口内にこれを密封するように装着されている中空の針であって、該針は流体が前記流体チャンバから放出され終わるまで前記バレルの前端から突き出しており、前記プランジャが押し下げられると、前記流体チャンバからの流体の流れが前記針を通過するように該針の後端が前記流体チャンバと連通している中空の針と、
前記プランジャの前端上にある第１の環状の切刃部材であって、流体が前記流体チャンバから放出され終わった後、前記針保持組立体を前記バレルから解放するために該針保持組立体上のディスク部材を切断するようになっている第１の環状の切刃部材と、
前記針および前記針保持組立体が前記プランジャの針収容チャンバ内に収められるように、前記プランジャの前端壁を切断し、かつ前記プランジャの前端を開くために、前記針保持組立体の後端で前記ディスク部材から後方に向かって延びている第２の環状の切刃部材と、
前記バレル内にあって前記針保持組立体と組合わされ、前記針および前記針保持組立体を前記バレル内で後方に移動させ、前記針収容チャンバの内部において引込み位置に移動させるバイアス手段と
を有し、
前記第１および第２の切刃部材はともに前記前端壁および前記切離し可能なディスク部材に対して前記それぞれある角度で傾斜している鋭い前縁を有しおり、そのため各前縁はそれぞれの前記前端壁または前記ディスク部材を切断するとき前記前端壁を前記プランジャからあるいは前記ディスク部材を前記バレルからそれぞれ分離するために集中された力と剪断動作とを生成する、
安全注射器。
【請求項３０】  前記第１の環状の切刃部材は前記第２の環状の切刃部材の外径の上に嵌め込まれるほどに充分に大きな内径を有し、前記針保持組立体を前記バレルから解放するように前記ディスク部材を切断するために、前記第２の環状の切刃部材に対して前記プランジャとともに軸方向に前進する、請求項２９に記載の安全注射器。
【請求項３１】  前記第１の環状の切刃部材は前記プランジャと一体である、請求項２９に記載の安全注射器。
【請求項３２】  前記第２の環状の切刃部材は前記ディスク部材と一体である、請求項２９に記載の安全注射器。
【請求項３３】  環状のバレル窪みが、前記第１の環状の切刃部材から前記プランジャの前端に働く集中された力と剪断作用によって、前記ディスク部材が環状のノッチに隣接する環状の隔膜において破断される空間を与えており、該環状のバレル窪みはまた、前記針の引込みシーケンス中に前記ディスク部材が迅速、かつ全体的に破断するのを容易にするために、前記ディスク部材がより容易に撓む空間を与える、請求項２９に記載の安全注射器。
【請求項３４】  環状のバレル窪みが、残存した薬剤の流体が前記針の引込み中に該針を通って偶発的に噴射されるのを防止する空間を与える、請求項２９に記載の安全注射器。
【請求項３５】  前記プランジャは、使用中に前記プランジャが前記バレルから外れるのを防止するために、前記バレルにスナップ嵌めされる周縁の突起を有する、請求項２９に記載の安全注射器。
【請求項３６】  前記突起は前記プランジャの前端のほぼ近くに配置されており、また前記プランジャおよび前記バレルの同心性を確保し、さらに各環状の切刃部材が前記前端壁および前記ディスク部材それぞれの環状の隔膜に適切に係合するのを確保するために、前記バレルの内径と前記プランジャの外径とプランジャにある周縁の突起の直径は、その寸法がぴったりと一致している、請求項２９に記載の安全注射器。
【請求項３７】  前記ステム上の切離し可能なディスク部材の外径と前記バレルの内径はその寸法が一致しており、それとともに、前記針および前記針保持組立体を前記中空のプランジャの前記針収容チャンバ内へ入れることを可能にする前記隔膜の適切な切断を確実にするために、圧縮されたばねによって前記第２の環状の切刃部材は前記プランジャの前端壁の隔膜と同心に保たれている、請求項２９に記載の安全注射器。
【請求項３８】  安全注射器であって、
円筒形の壁、後端の開口部、前端の開口部、および内部で前記両開口部の間に延びている流体チャンバを有する、流体を入れておくための中空のバレルと、
前記バレルの流体チャンバ内に装着され、前記バレルの前端および後端の開口部の間を軸方向に前後に移動できる、前記流体チャンバに流体を出入させる中空のプランジャであって、中に軸方向の針収容チャンバを含み、前記バレルの後端の開口部から延びている後端部分を有する中空のプランジャと、
前記プランジャの周囲に延び、流体が前記バレルの後端から漏出するのを防止するために前記流体チャンバ内において前記バレルの壁の内面に係合する密封手段と、
前記流体が前記流体チャンバから前記針収容チャンバに入り込まないように、前記針収容チャンバを前記流体チャンバから水力学的に分離するために、前端の近くで前記プランジャにこれを密封するようになるように前記プランジャの前端の近くに取り付けられている遮断手段と、
流体が前記流体チャンバから放出され終わるまで前記バレルにこれを密封するように一時的に取り付けられている針保持手段と、
前記針保持手段内にこれを密封するように装着され、かつ前記バレルの前端から突き出していて、前記プランジャが前記バレルの前端に向かって動かされると、流体が前記流体チャンバから該針を通過して流出させられるように前記流体チャンバが前記中空の針の内部と連通している中空の針と、
前記バレル内にあって前記針保持手段と組合わされており、前記針および前記針保持手段を前記バレル内においては後方に移動させ、前記針収容チャンバの内部においては引込み位置に移動させるバイアス手段と、
前記プランジャの前端上にあり、流体が前記流体チャンバから放出され終わった後に前記バイアス手段が前記針および前記針保持組立体を前記針収容チャンバに向かって移動させることができるように、前記針保持手段を前記バレルから解放するために該針保持手段を破断するようになっている第１の環状パンチタイプの解放手段と、
前記針および前記針保持手段が前記針収容チャンバに収められるように前記遮断手段を破断し、前記プランジャの前端を開くために、前記針保持手段の後端から後方に向かって延びている第２の環状パンチタイプの解放手段と
を有する安全注射器。
【請求項３９】  前記針保持手段は前記針の後端にしっかりと保持され、前記バレルの前端の開口部で取り外し可能なように該針を保持する、請求項３８に記載の安全注射器。
【請求項４０】  前記針保持手段は、前記プランジャが押し下げられるにつれて前記流体チャンバから放出される全ての流体が確実に前記針を通ってのみ出るように、前記バレルの前端にこれを密封するように係合する、横方向に延びる環状のフランジを有している管状部材である、請求項３８に記載の安全注射器。
【請求項４１】  前記バレルは前記針保持手段を受け入れるために該バレルの前端に永続的にしっかりと保持されている小さい直径部分を有する、請求項３８に記載の安全注射器。
【請求項４２】  前記針が引込み位置に移動した後に、前記針収容チャンバ内に該針を保持する手段を含む、請求項３８に記載の安全注射器。
【請求項４３】  前記針保持手段に取り外し可能なように取り付けられ、前記バレルの前端の延びた位置にあるときに前記針を覆うさや手段を含む、請求項３８に記載の安全注射器。
【請求項４４】  前記バイアス手段は、前記針が延びた位置において前記バレルの前端から突き出している間は最大限に圧縮されている圧縮ばねであり、前記圧縮は、前記針が針収容チャンバ内の引込み位置に移動しているときは少なくとも部分的に減らされている、請求項３８に記載の安全注射器。
【請求項４５】  前記遮断手段は前記プランジャの前端に近接して該プランジャを横断して延びている破断可能なディスク状の部材である、請求項３８に記載の安全注射器。
【手続補正２】
【補正対象書類名】明細書
【補正対象項目名】００１５
【補正方法】変更
【補正の内容】
【００１５】
発明の概要
安全注射器は、
円筒形の壁、後端の開口部、前端の開口部、および内部に上記の両開口部の間に延びている流体チャンバを有する、流体を入れておくための中空のバレルと、
バレルの流体チャンバ内に装着され、バレルの前端および後端の開口部の間を軸方向に沿って前後に移動できる、流体チャンバに流体を出入させる中空のプランジャであって、軸方向の針収容チャンバを中に含み、バレルの後端の開口部から延びている後端部分を有する中空のプランジャと、
流体がバレルの後端から漏出するのを防止するために、流体チャンバ内においてバレルの壁の内面に係合する、プランジャの周囲に延びている密封手段と、
流体が流体チャンバから針収容チャンバに入り込まないように、針収容チャンバを流体チャンバから水力学的に分離するために、その前端の近辺においてプランジャにこれを密封するように取り付けられている遮断手段と、
一時的にバレルの前端にこれを密封するように装着され、それから突き出る中空の針であって、プランジャがバレルの前端に向かって移動させられるとき、流体が流体チャンバから針を通して流出させられるように、流体チャンバと連絡している中空の針と、
流体が流体チャンバから放出され終わるまで、前方に延びている位置に針を保持する、バレルおよび針にこれらを密封するように取り付けられている針保持手段と、
バレル内にあって針保持手段と組合されているバイアス手段であって、針および針保持手段をバレル内においては後方に移動させ、そして針収容チャンバの内部においては引込み位置に移動させるバイアス手段と、
流体が流体チャンバから放出され終わった後に、バイアス手段によって針および針保持手段が針収容チャンバに移動させられるように、バレルから針保持手段を解放するために、針保持手段を破断するようになっている、プランジャの前端上にある第１の環状パンチタイプの解放手段と、
針収容チャンバに針および針保持手段を収めるように、遮断手段を破断しそしてプランジャの前端を開放する、針保持手段の後端から後方に向かって延びている第２の環状パンチタイプの解放手段
とを有する。